(57)【要約】【課題】分散型電源の電極に対地電圧が印加され難い系統連系システムを提供する。【解決手段】系統連系システム１００は、インバータ３を備える。インバータ３は、分散型電源１と電力系統６との間に接続され、分散型電源１からの直流電力を交流電力に変換する。系統連系システム１００は、逆流阻止ダイオードＤ１を更に備える。逆流阻止ダイオードＤ１は、インバータ３から見て分散型電源１側の回路の少なくとも一部を含む電流経路に設けられ、電流経路を通して基準電位Ｖｂ１に流れる漏洩電流を阻止する。【選択図】図１
2019068618.tif 000002
【特許請求の範囲】
【請求項１】
分散型電源と電力系統との間に接続され、前記分散型電源からの直流電力を交流電力に変換するインバータを備え、
前記インバータから見て前記分散型電源側の回路の少なくとも一部を含む電流経路に設けられ、前記電流経路を通して基準電位に流れる漏洩電流を阻止する逆流阻止ダイオードを更に備える
系統連系システム。
【請求項２】
前記分散型電源と前記インバータとの間に接続され、前記分散型電源の出力する直流電圧を所定の大きさの直流電圧に変換する非絶縁方式のＤＣ／ＤＣコンバータを更に備え、
前記電流経路は、前記ＤＣ／ＤＣコンバータの高電位及び低電位の少なくとも一方を含む
請求項１記載の系統連系システム。
【請求項３】
前記逆流阻止ダイオードは、前記ＤＣ／ＤＣコンバータのダイオードに兼用されている
請求項２記載の系統連系システム。
【請求項４】
前記電流経路は、前記分散型電源の正極を含む第１経路と、前記分散型電源の負極を含む第２経路と、を有しており、
前記逆流阻止ダイオードは、前記第１経路及び前記第２経路の各々に設けられている
請求項１乃至３のいずれか１項に記載の系統連系システム。
【請求項５】
前記逆流阻止ダイオードに並列に接続されるスイッチを更に備え、
前記スイッチは、前記分散型電源が前記電力系統と系統連系するときにオンとなり、それ以外のときにオフとなるように制御される
請求項１乃至４のいずれか１項に記載の系統連系システム。
【請求項６】
前記逆流阻止ダイオードは、前記インバータを収納する第１筐体とは異なる第２筐体に収納される
請求項１乃至５のいずれか１項に記載の系統連系システム。
【請求項７】
前記電流経路のうち前記逆流阻止ダイオードが挿入されることで前記分散型電源が前記電力系統と系統連系するのを阻害する経路には、前記逆流阻止ダイオードの代わりに開閉素子が接続される
請求項６記載の系統連系システム。
【請求項８】
前記インバータは、前記分散型電源に並列に接続される蓄電池からの直流電力を交流電力に変換するように構成され、
前記分散型電源は、太陽光発電装置である
請求項１乃至７のいずれか１項に記載の系統連系システム。
【発明の詳細な説明】
【技術分野】
【０００１】
本開示は、一般に系統連系システムに関し、より詳細には、分散型電源を電力系統に連系させる系統連系システムに関する。
【背景技術】
【０００２】
従来、太陽光発電装置の直流出力を使って電機製品に電力を供給する太陽光発電システム（系統連系システム）が知られており、例えば特許文献１に開示されている。特許文献１に記載の太陽光発電システムでは、インバータに、太陽電池アレイ（分散型電源）とバッテリー（蓄電池）とが並列に接続されている。インバータは、太陽電池アレイ又はバッテリーからの直流電力を交流に変換して、連系スイッチを介して電力系統に出力する。
【先行技術文献】
【特許文献】
【０００３】
【特許文献１】特開平９−９１０４９号公報
【発明の概要】
【発明が解決しようとする課題】
【０００４】
特許文献１に記載の系統連系システムでは、分散型電源が発電していない状態で、蓄電池からの直流電力をインバータで交流電力に変換する場合に、分散型電源の電極に対地電圧が印加される、という問題が生じる可能性があった。
【０００５】
本開示は、上記の点に鑑みてなされており、分散型電源の電極に対地電圧が印加され難い系統連系システムを提供することを目的とする。
【課題を解決するための手段】
【０００６】
本開示の一態様に係る系統連系システムは、インバータを備える。前記インバータは、分散型電源と電力系統との間に接続され、前記分散型電源からの直流電力を交流電力に変換する。前記系統連系システムは、逆流阻止ダイオードを更に備える。前記逆流阻止ダイオードは、前記インバータから見て前記分散型電源側の回路の少なくとも一部を含む電流経路に設けられ、前記電流経路を通して基準電位に流れる漏洩電流を阻止する。
【発明の効果】
【０００７】
本開示は、分散型電源の電極に対地電圧が印加され難い、という利点がある。
【図面の簡単な説明】
【０００８】
【図１】図１は、本開示の一実施形態に係る系統連系システムを示す概略回路図である。
【図２】図２は、比較例の系統連系システムの動作の説明図である。
【図３】図３は、本開示の一実施形態に係る系統連系システムの動作の説明図である。
【図４】図４Ａ及び図４Ｂは、それぞれ本開示の一実施形態の第１変形例に係る系統連系システムを示す概略回路図である。
【図５】図５は、本開示の一実施形態の第２変形例に係る系統連系システムを示す概略回路図である。
【図６】図６は、本開示の一実施形態の第３変形例に係る系統連系システムを示す概略回路図である。
【図７】図７Ａ及び図７Ｂは、それぞれ本開示の一実施形態の第４変形例に係る系統連系システムを示す概略回路図である。
【図８】図８は、本開示の一実施形態の第５変形例に係る系統連系システムを示す概略回路図である。
【発明を実施するための形態】
【０００９】
（１）概要
本実施形態の系統連系システム１００は、図１に示すように、分散型電源１を単相３線式の電力系統６に系統連系させるシステムである。本開示でいう「電力系統」は、電力会社等の電気事業者が需要家の受電設備に電力を供給するためのシステム全体を意味する。本実施形態では、一例として、このような系統連系システム１００が、オフィスビル、病院、商業施設及び学校等の、非住宅施設に導入される場合を想定して説明する。
【００１０】
系統連系システム１００は、図１に示すように、インバータ３を備えている。インバータ３は、分散型電源１と電力系統６との間に接続され、分散型電源１からの直流電力を交流電力に変換する。本開示でいう「接続する」は、端子、電子部品、又は電線等の要素同士を機械的に接続することの他、要素同士を電気的に接続することを含んでいる。系統連系システム１００は、分散型電源１の出力する直流電力をインバータ３にて交流電力に変換し、変換した交流電力を電力系統６に出力する。また、系統連系システム１００は、電力系統６の停電等の異常時には、解列器を開放し、電力系統６から解列された状態で交流電力を出力する自立運転を行うように構成されている。
【００１１】
系統連系システム１００は、逆流阻止ダイオードＤ１を更に備えている。逆流阻止ダイオードＤ１は、インバータ３から見て分散型電源１側の回路の少なくとも一部を含む電流経路（後述する第１経路Ｐ１及び第２経路Ｐ２）に設けられている。そして、逆流阻止ダイオードＤ１は、電流経路を通して基準電位Ｖｂ１に流れる漏洩電流を阻止する向きに設けられている。本開示でいう「基準電位Ｖｂ１」は、電力系統６の中性線が大地に接続されている状態における、大地の電位をいう。
【００１２】
上述のように、本実施形態では、電流経路を通して基準電位Ｖｂ１に流れる漏洩電流が、逆流阻止ダイオードＤ１により阻止される。このため、本実施形態では、分散型電源１の電極（正極１１又は負極１２）と基準電位Ｖｂ１との間に存在する対地容量（後述する第１対地容量Ｃｅ１又は第２対地容量Ｃｅ２）が漏洩電流により充電され難い。したがって、本実施形態では、分散型電源１の電極に、対地容量の充電電圧（言い換えれば、対地電圧）が印加され難い、という利点がある。
【００１３】
（２）詳細
本実施形態に係る系統連系システム１００は、図１に示すように、入力キャパシタＣ０及び出力キャパシタＣ１と、ＤＣ／ＤＣコンバータ２と、インバータ３と、フィルタ回路４と、制御回路１０と、を備えている。入力キャパシタＣ０及び出力キャパシタＣ１、ＤＣ／ＤＣコンバータ２、インバータ３、フィルタ回路４、及び制御回路１０は、１つの筐体（以下、「第１筐体」ともいう）７に収納されている。
【００１４】
系統連系システム１００には、分散型電源１が接続されている。本実施形態では、分散型電源１は、太陽電池を含む太陽光発電装置である。更に、系統連系システム１００には、充放電回路５０を介して蓄電池５が接続されている。蓄電池５及び充放電回路５０は、系統連系システム１００に対して、分散型電源１と並列に接続されている。以下では、分散型電源１、蓄電池５、及び充放電回路５０がいずれも系統連系システム１００の構成要素に含まれないとして説明するが、これらの一部又は全部が系統連系システム１００の構成要素に含まれていてもよい。
【００１５】
入力キャパシタＣ０は、分散型電源１とＤＣ／ＤＣコンバータ２との間に接続されている。入力キャパシタＣ０の第１電極１３は、分散型電源１の正極１１、及びＤＣ／ＤＣコンバータ２の高電位の入力端に接続されている。入力キャパシタＣ０の第２電極１４は、分散型電源１の負極１２、及びＤＣ／ＤＣコンバータ２の低電位の入力端に接続されている。入力キャパシタＣ０は、分散型電源１の出力する直流電圧を安定化する機能を有している。
【００１６】
出力キャパシタＣ１は、ＤＣ／ＤＣコンバータ２とインバータ３との間に接続されている。出力キャパシタＣ１の第１電極１５は、ＤＣ／ＤＣコンバータ２の高電位の出力端、及びインバータ３の高電位の入力端に接続されている。出力キャパシタＣ１の第２電極１６は、ＤＣ／ＤＣコンバータ２の低電位の出力端、及びインバータ３の低電位の入力端に接続されている。出力キャパシタＣ１は、ＤＣ／ＤＣコンバータ２の出力する直流電圧を安定化する機能を有している。
【００１７】
ＤＣ／ＤＣコンバータ２は、非絶縁方式の昇圧型のＤＣ／ＤＣコンバータであり、インダクタＬ０と、ダイオードＤ０と、スイッチング素子Ｑ０と、逆流阻止ダイオードＤ１と、を有している。インダクタＬ０の第１端は、ＤＣ／ＤＣコンバータ２の高電位の入力端に接続され、入力キャパシタＣ０の第１電極１３に接続されている。インダクタＬ０の第２端は、ダイオードＤ０のアノードに接続されている。ダイオードＤ０のカソードは、ＤＣ／ＤＣコンバータ２の高電位の出力端に接続され、出力キャパシタＣ１の第１電極１５に接続されている。
【００１８】
スイッチング素子Ｑ０は、エンハンスメント型のｎチャネルＭＯＳＦＥＴ（Metal-Oxide-Semiconductor Field-Effect Transistor）からなる。スイッチング素子Ｑ０のソースは、ＤＣ／ＤＣコンバータ２の低電位の入力端及び出力端に接続され、入力キャパシタＣ０の第２電極１４に接続されている。スイッチング素子Ｑ０のドレインは、インダクタＬ０の第２端及びダイオードＤ０のアノードの接続点に接続されている。スイッチング素子Ｑ０は、制御回路１０（後述する）から与えられる制御信号Ｓ０によりオン／オフする。スイッチング素子Ｑ０はＭＯＳＦＥＴに限定されず、例えば、ＩＧＢＴ（Insulated Gate Bipolar Transistor：絶縁ゲートバイポーラトランジスタ）、又はバイポーラトランジスタ等の他の半導体スイッチ素子であってもよい。
【００１９】
逆流阻止ダイオードＤ１のカソードは、ＤＣ／ＤＣコンバータ２の低電位の入力端に接続され、入力キャパシタＣ０の第２電極１４、及びスイッチング素子Ｑ０のソースに接続されている。逆流阻止ダイオードＤ１のアノードは、ＤＣ／ＤＣコンバータ２の低電位の出力端に接続され、中間バスＭＢを介して出力キャパシタＣ１の第２電極１６に接続されている。本開示でいう「中間バス」は、ＤＣ／ＤＣコンバータ２とインバータ３との間にある電流経路である。
【００２０】
ＤＣ／ＤＣコンバータ２は、スイッチング素子Ｑ０が制御回路１０によりＰＷＭ（Pulse Width Modulation）制御されることで、入力キャパシタＣ０の両端電圧を昇圧する。そして、ＤＣ／ＤＣコンバータ２は、昇圧した直流電圧を中間バスＭＢに接続された出力キャパシタＣ１及びインバータ３に出力する。言い換えれば、ＤＣ／ＤＣコンバータ２は、分散型電源１とインバータ３との間に接続され、分散型電源１の出力する直流電圧を所定の大きさの直流電圧に変換する。
【００２１】
インバータ３は、フルブリッジ接続された４つのスイッチング素子Ｑ１〜Ｑ４を有している。インバータ３では、スイッチング素子Ｑ１及びスイッチング素子Ｑ３の直列回路と、スイッチング素子Ｑ２及びスイッチング素子Ｑ４の直列回路とが、出力キャパシタＣ１の両端間に対して並列に接続されている。スイッチング素子Ｑ１，Ｑ２のドレインは、ＤＣ／ＤＣコンバータ２の高電位の出力端、及び出力キャパシタＣ１の第１電極１５に接続されている。スイッチング素子Ｑ３，Ｑ４のソースは、いずれもＤＣ／ＤＣコンバータ２の低電位の出力端、および出力キャパシタＣ１の第２電極１６に接続されている。
【００２２】
スイッチング素子Ｑ１〜Ｑ４は、いずれもデプレッション形のｎチャネルＭＯＳＦＥＴからなる。スイッチング素子Ｑ１〜Ｑ４は、ＭＯＳＦＥＴに限定されず、例えば、ＩＧＢＴ、又はバイポーラトランジスタ等の他の半導体スイッチ素子であってもよい。
【００２３】
インバータ３は、スイッチング素子Ｑ１〜Ｑ４が制御回路１０によりＰＷＭ制御されることで、出力キャパシタＣ１とフィルタ回路４との間において、直流電圧から交流電圧、又は交流電圧から直流電圧への変換を行う双方向のＤＣ／ＡＣコンバータである。つまり、インバータ３は、出力キャパシタＣ１からの直流電力（中間バスＭＢからの直流電力）を交流電力に変換して電力系統６へ出力する機能と、電力系統６からの交流電力を直流電力に変換して出力キャパシタＣ１（中間バスＭＢ）へ出力する機能と、を有する。
【００２４】
このように、本実施形態では、インバータ３は、蓄電池５の充電及び放電の両方に対応できるように、出力キャパシタＣ１と電力系統６との間で、双方向に電力の変換を行うように構成されている。これにより、系統連系システム１００は、蓄電池５を電力系統６に系統連系させ、電力系統６から供給される電力により蓄電池５を充電したり、蓄電池５が出力する電力を電力系統６に接続されている負荷に供給したりすることが可能である。
【００２５】
フィルタ回路４は、２つのインダクタＬ１，Ｌ２と、キャパシタＣ２と、を有している。インダクタＬ１の第１端は、スイッチング素子Ｑ１のソース及びスイッチング素子Ｑ３のドレインの接続点に接続されている。インダクタＬ１の第２端は、電力系統６に接続されている。インダクタＬ２の第１端は、スイッチング素子Ｑ２のソース及びスイッチング素子Ｑ４のドレインの接続点に接続されている。インダクタＬ２の第２端は、電力系統６に接続されている。また、インダクタＬ１の第２端とインダクタＬ２の第２端との間には、キャパシタＣ２が接続されている。フィルタ回路４は、インバータ３の出力する交流電圧の高周波成分を除去し正弦波状の電圧を生成する機能を有している。
【００２６】
制御回路１０は、例えば、１以上のプロセッサ及びメモリを有するマイクロコンピュータにて構成されている。言い換えれば、制御回路１０は、１以上のプロセッサ及びメモリを有するコンピュータシステムにて実現されており、１以上のプロセッサがメモリに格納されているプログラムを実行することにより、コンピュータシステムが制御回路１０として機能する。プログラムは、ここでは制御回路１０のメモリに予め記録されているが、インターネット等の電気通信回線を通じて、又はメモリカード等の非一時的な記録媒体に記録されて提供されてもよい。制御回路１０は、例えば、ＦＰＧＡ（Field-Programmable Gate Array）、又はＡＳＩＣ（Application Specific Integrated Circuit）等で構成されてもよい。
【００２７】
制御回路１０は、５つのスイッチング素子Ｑ０〜Ｑ４を制御するための制御信号Ｓ０〜Ｓ４を出力する。制御信号Ｓ０〜Ｓ４は、直接的に、又は駆動回路を介して、スイッチング素子Ｑ０〜Ｑ４のゲートに印加され、スイッチング素子Ｑ０〜Ｑ４を個別にオン／オフする。制御回路１０は、デューティ比を調節可能なＰＷＭ方式によって、スイッチング素子Ｑ０〜Ｑ４を制御する。
【００２８】
充放電回路５０は、双方向のＤＣ／ＤＣコンバータであって、蓄電池５と出力キャパシタＣ１との間の中間バスＭＢに接続されている。充放電回路５０は、蓄電池５の出力する直流電力を所定の大きさの直流電力に変換し、変換した直流電力を出力キャパシタＣ１に出力する機能を有している。また、充放電回路５０は、出力キャパシタＣ１の出力する直流電力を所定の大きさの直流電力に変換し、変換した直流電力を蓄電池５に出力する機能を有している。
【００２９】
上述のように、逆流阻止ダイオードＤ１は、インバータ３から見て分散型電源１側、より具体的には、蓄電池５（及び充放電回路５０）が中間バスＭＢに接続される接続点よりも分散型電源１側に設けられている。
【００３０】
（３）動作
まず、本実施形態の系統連系システム１００の基本的な動作について図１を用いて説明する。日中など、分散型電源１が十分な太陽光を受けて発電している場合、分散型電源１は、ＤＣ／ＤＣコンバータ２を介して、インバータ３に直流電力を出力する。インバータ３は、入力された直流電力を交流電力に変換し、変換した交流電力を電力系統６に出力する。これにより、分散型電源１の発電する電力が、電力系統６に接続されている負荷に供給される。また、分散型電源１の発電電力に余剰電力がある場合、分散型電源１は、ＤＣ／ＤＣコンバータ２及び充放電回路５０を介して余剰電力を蓄電池５に出力することで、蓄電池５を充電する。その他、電力系統６がインバータ３及び充放電回路５０を介して蓄電池５に直流電力を出力することで、蓄電池５を充電してもよい。
【００３１】
一方、天気が曇り又は雨、若しくは夜間など、分散型電源１が十分な太陽光を受けることができず発電していない場合、蓄電池５は、充放電回路５０を介して、インバータ３に直流電力を出力する。インバータ３は、入力された直流電力を交流電力に変換し、変換した交流電力を電力系統６に出力する。これにより、蓄電池５が放電する電力が、電力系統６に接続されている負荷に供給される。
【００３２】
ここで、本実施形態の系統連系システム１００の動作について、比較例の系統連系システムを交えて説明する。比較例の系統連系システムは、図２に示すように、ＤＣ／ＤＣコンバータ２のスイッチング素子Ｑ０のソースと、出力キャパシタＣ１の第２電極１６との間に逆流阻止ダイオードＤ１が接続されていない点で、本実施形態の系統連系システム１００と相違する。
【００３３】
上述のように、夜間など、分散型電源１が発電していない場合でも、蓄電池５から電力系統６へ電力を供給するときにインバータ３が動作する場合がある。この場合、出力キャパシタＣ１の第１電極１５と基準電位Ｖｂ１との間には、第１電極１５を高電位とする対地電圧Ｖ１が発生する。また、出力キャパシタＣ１の第２電極１６と基準電位Ｖｂ１との間には、基準電位Ｖｂ１を高電位とする対地電圧Ｖ２が発生する。
【００３４】
なお、本実施形態では、分散型電源１としての太陽電池と、蓄電池５とを用いた系統連系システム１００について説明しているため、分散型電源１が発電していない場合にインバータ３が動作する一例として夜間を挙げているが、これに限定する趣旨ではない。例えば、分散型電源１、又は蓄電池５の代わりの他の直流電源によっては、夜間以外の状況であっても、分散型電源１が発電していない場合にインバータ３が動作する可能性がある。
【００３５】
ここで、分散型電源１の正極１１及び負極１２は、いずれも比較的大きい電極である。このため、分散型電源１の正極１１と基準電位Ｖｂ１との間、及び分散型電源１の負極１２と基準電位Ｖｂ１との間には、それぞれ無視できない程度の大きさの第１対地容量Ｃｅ１及び第２対地容量Ｃｅ２が生じる。そして、対地電圧Ｖ１を電圧発生源として、ＤＣ／ＤＣコンバータ２の高電位、第１対地容量Ｃｅ１、基準電位Ｖｂ１の順に漏洩電流が流れる電流経路（以下、「第１経路Ｐ１」ともいう）が形成され得る。同様に、対地電圧Ｖ２を電圧発生源として、基準電位Ｖｂ１、第２対地容量Ｃｅ２、ＤＣ／ＤＣコンバータ２の低電位、の順に漏洩電流が流れる電流経路（以下、「第２経路Ｐ２」ともいう）が形成され得る。これらの電流経路は、いずれもインバータ３から見て分散型電源１側の回路の少なくとも一部を含んでいる。また、これらの電流経路は、ＤＣ／ＤＣコンバータ２の高電位及び低電位の少なくとも一方を含んでいる。本実施形態では、電流経路のうち第１経路Ｐ１は、ＤＣ／ＤＣコンバータ２の高電位側の電路を含んでおり、第２経路Ｐ２は、ＤＣ／ＤＣコンバータ２の低電位側の電路を含んでいる。
【００３６】
比較例において、第１経路Ｐ１では、ＤＣ／ＤＣコンバータ２のダイオードＤ０が逆流阻止ダイオードＤ１として機能することで、基準電位Ｖｂ１に流れる漏洩電流が抑制される。このため、第１対地容量Ｃｅ１が漏洩電流で充電され難く、分散型電源１の正極１１には、対地電圧（つまり、正極１１と基準電位Ｖｂ１との間の電圧）は印加され難い。一方、比較例において、第２経路Ｐ２には逆流阻止ダイオードＤ１が存在しないため、第２経路Ｐ２を通して基準電位Ｖｂ１に漏洩電流が流れ得る。このため、第２対地容量Ｃｅ２が漏洩電流により充電され、分散型電源１の負極１２には対地電圧（つまり、負極１２と基準電位Ｖｂ１との間の電圧）が印加され得る。
【００３７】
このように分散型電源１の正極１１及び負極１２のうち少なくとも一方の電極に、対地電圧が印加されることで、分散型電源１に悪影響を及ぼす可能性がある。例えば、分散型電源１が太陽光発電装置である場合、ＰＩＤ（Potential Induced Degradation）現象が発生することで、太陽光発電装置が劣化し、分散型電源１の発電量が低下する可能性がある。
【００３８】
これに対して、本実施形態では、図３に示すように、第２経路Ｐ２に逆流阻止ダイオードＤ１が存在しているため、第２経路Ｐ２を通して基準電位Ｖｂ１に流れる漏洩電流を抑制することが可能である。このように、本実施形態では、ＤＣ／ＤＣコンバータ２のダイオードＤ０及び逆流阻止ダイオードＤ１により、第１対地容量Ｃｅ１及び第２対地容量Ｃｅ２の充電経路を遮断している。このため、本実施形態では、分散型電源１の正極１１及び負極１２のいずれにも対地電圧が印加され難く、結果として分散型電源１に悪影響が及ぶ可能性を低減することができる。
【００３９】
つまり、本実施形態では、漏洩電流が流れる電流経路は、分散型電源１の正極１１を含む第１経路Ｐ１と、分散型電源１の負極１２を含む第２経路Ｐ２と、を有している。そして、逆流阻止ダイオードＤ１は、第１経路Ｐ１及び第２経路Ｐ２の各々に設けられている（第１経路Ｐ１における逆流阻止ダイオードＤ１は、ＤＣ／ＤＣコンバータ２のダイオードＤ０である）。このため、本実施形態では、第１経路Ｐ１及び第２経路Ｐ２のいずれにも漏洩電流が流れ難くなるので、分散型電源１の正極１１及び負極１２のいずれにおいても対地電圧が発生し難くなる、という利点がある。
【００４０】
ここで、第１対地容量Ｃｅ１及び第２対地容量Ｃｅ２の充電経路を遮断する態様としては、例えば、分散型電源１とＤＣ／ＤＣコンバータ２との間にメカニカルリレーを設けることが考えられる。この態様でも、分散型電源１が発電していないときに、メカニカルリレーにより分散型電源１とＤＣ／ＤＣコンバータ２との間を遮断することで、第１対地容量Ｃｅ１及び第２対地容量Ｃｅ２の充電経路を遮断することが可能である。
【００４１】
しかしながら、この態様では、逆流阻止ダイオードＤ１と比較してメカニカルリレーのコストが高い、メカニカルリレーを駆動するための電源を確保する必要がある、という問題がある。そのほか、この態様では、メカニカルリレーの開閉回数に制限がある（つまり、メカニカルリレーに寿命がある）、チャタリング（chattering）の発生により動作が不安定になる可能性がある、という問題がある。
【００４２】
一方、本実施形態では、漏洩電流が基準電位Ｖｂ１に流れる電流経路（ここでは、第２対地容量Ｃｅ２の充電経路）に逆流阻止ダイオードＤ１を設けるという簡易な構成により、電流経路を遮断することが可能である。したがって、本実施形態では、上述のメカニカルリレーを設ける態様で生じ得る問題が生じない、という利点がある。
【００４３】
また、本実施形態では、第１経路Ｐ１における逆流阻止ダイオードＤ１は、ＤＣ／ＤＣコンバータ２のダイオードＤ０に兼用されている。このため、本実施形態では、ＤＣ／ＤＣコンバータ２のダイオードＤ０を含む電流経路については、逆流阻止ダイオードＤ１を新たに設ける必要がなく、回路設計の簡素化を図ることができる、という利点がある。
【００４４】
（４）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００４５】
（４．１）第１変形例
第１変形例の系統連系システム１００では、系統連系システム１００が複数（ここでは、２つ）の分散型電源１に接続されている点で、上述の実施形態の系統連系システム１００と相違する。具体的には、本変形例では、図４Ａ及び図４Ｂに示すように、１つの分散型電源１（つまり、１組の分散型電源１の正極１１及び負極１２）に対して、１つの入力キャパシタＣ０と、１つのＤＣ／ＤＣコンバータ２とが接続されている。そして、本変形例の系統連系システム１００には、２つの分散型電源１が接続されている。したがって、本変形例の系統連系システム１００は、２つの入力キャパシタＣ０と、２つのＤＣ／ＤＣコンバータ２とを備えている点で、上述の実施形態の系統連系システム１００と相違する。
【００４６】
図４Ａ及び図４Ｂに示す例では、分散型電源１、制御回路１０、インバータ３、フィルタ回路４、蓄電池５、充放電回路５０、及び電力系統６の図示を省略している。以下、図５〜図８においても同様である。
【００４７】
本変形例では、１つの入力キャパシタＣ０及び１つのＤＣ／ＤＣコンバータ２を１組の機能部Ａ１として、２組の機能部Ａ１が出力キャパシタＣ１に対して並列に接続されている。本変形例において、図４Ａに示す例では、２つの機能部Ａ１の低電位の接続点と、出力キャパシタＣ１の第２電極１６との間に逆流阻止ダイオードＤ１が接続されている。つまり、図４Ａに示す例では、逆流阻止ダイオードＤ１は、２つの機能部Ａ１にて共用されている。
【００４８】
一方、本変形例において、図４Ｂに示す例では、２つの機能部Ａ１の各々に逆流阻止ダイオードＤ１が設けられている。具体的には、２つの機能部Ａ１の各々において、ＤＣ／ＤＣコンバータ２のスイッチング素子Ｑ０のソースと、出力キャパシタＣ１の第２電極１６との間に、逆流阻止ダイオードＤ１が接続されている。
【００４９】
本変形例では、複数の分散型電源１の各々について、ＤＣ／ＤＣコンバータ２のダイオードＤ０及び逆流阻止ダイオードＤ１により、第１対地容量Ｃｅ１及び第２対地容量Ｃｅ２の充電経路を遮断している。このため、本変形例では、複数の分散型電源１の各々について、正極１１及び負極１２のいずれにも対地電圧が印加され難く、結果として複数の分散型電源１に悪影響が及ぶ可能性を低減することができる。
【００５０】
（４．２）第２変形例
第２変形例の系統連系システム１００では、図５に示すように、逆流阻止ダイオードＤ１が、インバータ３を収納する第１筐体７とは異なる第２筐体８に収納されている点で、第１変形例の系統連系システム１００と相違する。第２筐体８は、２つの逆流阻止ダイオードＤ１を有している。第２筐体８は、複数（ここでは、２つ）の分散型電源１の正極１１及び負極１２と、第１筐体７との間に接続されている。そして、第２筐体８が上記のように接続されることで、複数の分散型電源１の各々について、逆流阻止ダイオードＤ１が負極１２と入力キャパシタＣ０の第２電極１４との間に接続される。
【００５１】
本変形例では、第１変形例と同様に、複数の分散型電源１の各々について、正極１１及び負極１２のいずれにも対地電圧が印加され難く、結果として複数の分散型電源１に悪影響が及ぶ可能性を低減することができる。また、本変形例では、逆流阻止ダイオードＤ１が第１筐体７に内蔵されておらず、逆流阻止ダイオードＤ１を外付けすることが可能である。つまり、本変形例では、第１筐体７に第２筐体８を外付けすることにより、既存のインバータ３に逆流阻止ダイオードＤ１を容易に接続することが可能である、という利点がある。
【００５２】
（４．３）第３変形例
第３変形例の系統連系システム１００では、図６に示すように、逆流阻止ダイオードＤ１の他に開閉素子ＳＷ１が第２筐体８に収納されている点で、第２変形例の系統連系システム１００と相違する。また、本変形例の系統連系システム１００は、２つの機能部Ａ１の各々において、ＤＣ／ＤＣコンバータ２に対して、検出回路９が入力キャパシタＣ０と並列に接続されている点でも、第２変形例の系統連系システム１００と相違する。
【００５３】
第２筐体８は、２つの逆流阻止ダイオードＤ１の他に、２つの開閉素子ＳＷ１を有している。第２筐体８が第１筐体７に接続されている状態において、２つの開閉素子ＳＷ１は、それぞれ分散型電源１の正極１１と機能部Ａ１の高電位の入力端との間に接続される。開閉素子ＳＷ１は、例えば制御回路１０に制御されてオン／オフを切り替えることにより、分散型電源１の正極１１と機能部Ａ１の高電位の入力端との間の経路を開閉する。開閉素子ＳＷ１は、メカニカルリレーであってもよいし、ＭＯＳＦＥＴ等の半導体スイッチ素子であってもよい。
【００５４】
検出回路９は、入力キャパシタＣ０の両端間電圧、つまり分散型電源１の出力電圧を検出する回路である。検出回路９は、例えば複数の抵抗の直列回路を有する。本変形例では、制御回路１０は、検出回路９の検出電圧を監視しており、検出電圧に応じてＤＣ／ＤＣコンバータ２及びインバータ３を動作させる。具体的には、制御回路１０は、検出電圧が所定の電圧値を上回ると、分散型電源１の発電量が十分にあるとして、ＤＣ／ＤＣコンバータ２及びインバータ３を動作させる。一方、制御回路１０は、検出電圧が所定の電圧値を下回ると、分散型電源１の発電量が不足しているとして、ＤＣ／ＤＣコンバータ２及びインバータ３を停止させる。なお、制御回路１０は、蓄電池５が放電する場合には、インバータ３を動作させる。
【００５５】
検出回路９、及び制御回路１０による検出回路９の検出電圧に応じた制御は、上述の実施形態、第１変形例、第２変形例の他、以下で説明する第４変形例及び第５変形例にも適用し得る。
【００５６】
ここで、第２変形例のように第２筐体８が開閉素子ＳＷ１を有していない態様では、以下のような問題が生じ得る。すなわち、既に述べたように、分散型電源１が発電しておらず、蓄電池５から電力系統６への電力供給のためにインバータ３が動作している場合、対地電圧Ｖ１，Ｖ２が発生する。このとき、対地電圧Ｖ２を電圧発生源として、基準電位Ｖｂ１、第１対地容量Ｃｅ１、検出回路９の抵抗成分の順に漏洩電流が流れる電流経路（以下、「第３経路Ｐ３」ともいう）が形成され得る。このため、第３経路Ｐ３を漏洩電流が流れることで第１対地容量Ｃｅ１が充電され、分散型電源１の負極１２に対地電圧が印加され得る。
【００５７】
そこで、本変形例では、第２筐体８に開閉素子ＳＷ１を設けることで、上記の問題を解決している。すなわち、制御回路１０は、検出回路９の検出電圧が所定の電圧値を下回るとき、つまり分散型電源１が発電していないときに、開閉素子ＳＷ１をオフにする。これにより、第３経路Ｐ３を介した第１対地容量Ｃｅ１の充電経路を遮断し、分散型電源１の負極１２に対地電圧が印加され難くすることが可能である。
【００５８】
ここで、第３経路Ｐ３において、開閉素子ＳＷ１の代わりに逆流阻止ダイオードＤ１を設けることも考えられる。しかしながら、この態様では、逆流阻止ダイオードＤ１は、分散型電源１から電力系統６へ向かう向きの電流を妨げることになる。つまり、この態様では、逆流阻止ダイオードＤ１は、分散型電源１が電力系統６と系統連系するのを阻害してしまう。言い換えれば、第３経路Ｐ３は、漏洩電流が流れる電流経路のうち逆流阻止ダイオードＤ１が挿入されることで分散型電源１が電力系統６と系統連系するのを阻害する経路である。
【００５９】
そこで、本変形例では、第３経路Ｐ３に開閉素子ＳＷ１を設けることで、上記の問題を解決している。すなわち、制御回路１０は、検出回路９の検出電圧が所定の電圧値を上回るとき、つまり分散型電源１が発電しており、分散型電源１が電力系統６と系統連系するときに、開閉素子ＳＷ１をオンにする。これにより、分散型電源１が電力系統６と系統連系するのを開閉素子ＳＷ１が阻害することがない。
【００６０】
上述のように、本変形例では、分散型電源１が電力系統６と系統連系するときには開閉素子ＳＷ１を閉じ、それ以外のときには開閉素子ＳＷ１を開くという制御が実現可能である。そして、この制御により、分散型電源１と電力系統６との間を流れる電流を阻害することなく、分散型電源１の電極に対地電圧が印加されるのを防ぎ易い、という利点がある。
【００６１】
（４．４）第４変形例
第４変形例の系統連系システム１００は、図７Ａに示すように、逆流阻止ダイオードＤ１に並列に接続されるスイッチＳＷ２，ＳＷ３を更に備える点で、上述の実施形態の系統連系システム１００と相違する。スイッチＳＷ２は、ＤＣ／ＤＣコンバータ２のダイオードＤ０に並列に接続されている。スイッチＳＷ３は、逆流阻止ダイオードＤ１に並列に接続されている。スイッチＳＷ２，スイッチＳＷ３は、いずれもメカニカルリレーであってもよいし、ＭＯＳＦＥＴ等の半導体スイッチ素子であってもよい。
【００６２】
スイッチＳＷ２，ＳＷ３は、いずれも制御回路１０により制御されることでオン／オフを切り替える。具体的には、スイッチＳＷ２，ＳＷ３は、分散型電源１が電力系統６と系統連系するときにオンとなり、それ以外のときにオフとなるように、制御回路１０により制御される。以下、制御回路１０によるスイッチＳＷ２，ＳＷ３の制御の一例について説明する。
【００６３】
制御回路１０は、検出回路９（第３変形例参照）を用いて、検出電圧が所定の電圧値を上回るとき、つまり分散型電源１が電力系統６と系統連系するときに、スイッチＳＷ２をスイッチング素子Ｑ０のオン／オフに応じてオン／オフする。具体的には、制御回路１０は、スイッチング素子Ｑ０がオンのときにスイッチＳＷ２をオフし、スイッチング素子Ｑ０がオフのときにスイッチＳＷ２をオンにするように、スイッチＳＷ２を制御する。このように、ＤＣ／ＤＣコンバータ２を同期整流式に制御することで、ダイオードＤ０が導通することによる損失を抑制することが可能である。また、制御回路１０は、検出電圧が所定の電圧値を下回るとき、スイッチＳＷ２をオフにする。これにより、ＤＣ／ＤＣコンバータ２のダイオードＤ０を、第１経路Ｐ１における逆流阻止ダイオードＤ１として機能させることが可能である。
【００６４】
制御回路１０は、検出回路９を用いて、検出電圧が所定の電圧値を上回るとき、つまり分散型電源１が電力系統６と系統連系するときに、スイッチＳＷ３をオンにする。これにより、系統連系時における、逆流阻止ダイオードＤ１が導通することによる損失を抑制することが可能である。また、制御回路１０は、検出電圧が所定の電圧値を下回るとき、スイッチＳＷ３をオフにする。これにより、第２経路Ｐ２において、逆流阻止ダイオードＤ１を機能させることが可能である。
【００６５】
上述のように、本変形例では、分散型電源１が電力系統６と系統連系するときに、分散型電源１と電力系統６との間を流れる電流により、逆流阻止ダイオードＤ１にて損失が発生するのを抑制することができる、という利点がある。
【００６６】
ところで、本変形例において、図７Ｂに示す例のように、逆流阻止ダイオードＤ１の代わりに、半導体スイッチ素子であるスイッチＳＷ４が接続されていてもよい。スイッチＳＷ４は、デプレッション形のｎチャネルＭＯＳＦＥＴである。スイッチＳＷ４のソースは、出力キャパシタＣ１の第２電極１６に接続されている。スイッチＳＷ４のドレインは、入力キャパシタＣ０の第２電極とスイッチング素子Ｑ０のソースとの接続点に接続されている。また、スイッチＳＷ４の寄生ダイオード（ボディダイオード）Ｄ２は、逆流阻止ダイオードＤ１として機能している。
【００６７】
図７Ｂに示す例では、制御回路１０は、検出回路９を用いて、検出電圧が所定の電圧値を上回るとき、つまり分散型電源１が電力系統６と系統連系するときに、スイッチＳＷ４をオンにする。これにより、系統連系時における、逆流阻止ダイオードＤ１が導通することによる損失を抑制することが可能である。また、制御回路１０は、検出電圧が所定の電圧値を下回るとき、スイッチＳＷ４をオフにする。これにより、スイッチＳＷ４の寄生ダイオードＤ２を、第２経路Ｐ２における逆流阻止ダイオードＤ１として機能させることが可能である。
【００６８】
上述のように、図７Ｂに示す態様でも、上記と同様の効果を奏することができる。なお、スイッチＳＷ４は、ＭＯＳＦＥＴに限定されず、例えば、ＩＧＢＴ等の他の半導体スイッチ素子であってもよい。スイッチＳＷ４がＩＧＢＴである場合、ＩＧＢＴに内蔵されている転流ダイオードが、逆流阻止ダイオードＤ１として機能する。
【００６９】
（４．５）第５変形例
第５変形例の系統連系システム１００は、図８に示すように、複数（ここでは、２つ）の分散型電源１の各々に対して、１つの第１抵抗Ｒ１と、２つの第２抵抗Ｒ２とが接続されている点で、第１変形例の系統連系システム１００と相違する。
【００７０】
第１抵抗Ｒ１は、ＤＣ／ＤＣコンバータ２に対して、入力キャパシタＣ０と並列に接続されている。検出回路９（第３変形例参照）を用いる場合には、検出回路９の抵抗成分が第１抵抗Ｒ１に相当する。第１抵抗Ｒ１は、複数の抵抗を組み合わせて構成されていてもよい。
【００７１】
２つの第２抵抗Ｒ２のうち一方の第２抵抗Ｒ２は、ＤＣ／ＤＣコンバータ２の高電位の出力端と出力キャパシタＣ１の第１電極１５との接続点と、第１抵抗Ｒ１の第１端１７との間に接続されている。他方の第２抵抗Ｒ２は、ＤＣ／ＤＣコンバータ２の低電位の出力端と出力キャパシタＣ１の第２電極１６との接続点と、第１抵抗Ｒ１の第２端１８との間に接続されている。２つの第２抵抗Ｒ２は、それぞれ複数の抵抗を組み合わせて構成されていてもよい。
【００７２】
第２抵抗Ｒ２の抵抗値は、第１抵抗Ｒ１の抵抗値よりも大きくなっている。第２抵抗Ｒ２の抵抗値は、第１抵抗Ｒ１の抵抗値を第２抵抗Ｒ２の抵抗値で除した値が近似的に零となる程度に、第１抵抗Ｒ１の抵抗値よりも大きいのが好ましい。
【００７３】
以下、本変形例の動作について説明する。既に述べたように、分散型電源１が発電しておらず、蓄電池５から電力系統６への電力供給のためにインバータ３が動作している場合、対地電圧Ｖ１，Ｖ２が発生する。対地電圧Ｖ１，Ｖ２は、それぞれ第１抵抗Ｒ１及び第２抵抗Ｒ２の直列回路により分圧される。そして、既に述べたように、第２抵抗Ｒ２の抵抗値は、第１抵抗Ｒ１の抵抗値よりも大きいために、第１抵抗Ｒ１の両端電圧は、対地電圧Ｖ１，Ｖ２と比較して小さくなる。具体的には、対地電圧Ｖ１，Ｖ２が百数十［Ｖ］であれば、第１抵抗Ｒ１の両端電圧は、数［Ｖ］〜十数［Ｖ］程度になる。
【００７４】
上述のように、本変形例では、第１抵抗Ｒ１の両端電圧、つまり分散型電源１の正極１１及び負極１２の間に印加される電圧を零電圧に近付けることが可能である。このため、本変形例では、第１対地容量Ｃｅ１に印加される電圧、及び第２対地容量Ｃｅ２に印加される電圧を零電圧に近付けることにより、正極１１及び負極１２のいずれにも対地電圧が印加され難くすることが可能である。
【００７５】
ところで、本変形例では、上述のように１つの第１抵抗Ｒ１と、２つの第２抵抗Ｒ２とにより、分散型電源１の正極１１及び負極１２のいずれにも対地電圧が印加され難くすることが可能であるので、逆流阻止ダイオードＤ１は備えていなくてもよい。つまり、本変形例の系統連系システム１００は、以下の構成であればよい。すなわち、系統連系システム１００は、インバータ３と、１つの第１抵抗Ｒ１と、２つの第２抵抗Ｒ２と、を備える。インバータ３は、分散型電源１と電力系統６との間に接続され、分散型電源１からの直流電力を交流電力に変換する。第１抵抗Ｒ１は、分散型電源１の正極１１及び負極１２の間に接続されている。２つの第２抵抗Ｒ２のうち一方の第２抵抗Ｒ２は、インバータ３の高電位の入力端に接続され、かつ第１抵抗Ｒ１と直列に接続されている。２つの第２抵抗Ｒ２のうち他方の第２抵抗Ｒ２は、インバータ３の低電位の入力端に接続され、かつ第１抵抗Ｒ１と直列に接続されている。２つの第２抵抗Ｒ２の各々の抵抗値は、第１抵抗Ｒ１の抵抗値よりも大きい。
【００７６】
（５）その他の変形例
以下、その他の変形例について列挙する。以下に説明する変形例は、「（４）変形例」に列挙した変形例を含めて、適宜組み合わせて適用可能である。
【００７７】
上述の実施形態において、逆流阻止ダイオードＤ１は、図１に示す位置に設けられていなくてもよく、第２経路Ｐ２上に設けられていればよい。
【００７８】
上述の実施形態では、入力キャパシタＣ０及び出力キャパシタＣ１、ＤＣ／ＤＣコンバータ２、インバータ３、フィルタ回路４、及び制御回路１０は、１つの筐体（第１筐体）７に収納されているが、複数の筐体に分散して収納されていてもよい。
【００７９】
上述の実施形態では、ＤＣ／ＤＣコンバータ２は、昇圧型のＤＣ／ＤＣコンバータであるが、これに限定する趣旨ではない。例えば、ＤＣ／ＤＣコンバータ２は、降圧型のＤＣ／ＤＣコンバータであってもよいし、昇圧及び降圧の両方が可能なＤＣ／ＤＣコンバータであってもよい。
【００８０】
上述の実施形態では、インバータ３は、双方向に電力を変換する構成であるが、これに限定する趣旨ではない。例えば、インバータ３は、ＤＣ／ＤＣコンバータ２からフィルタ回路４への一方向（単方向）にのみ電力を変換する構成であってもよい。この場合、蓄電池５は、電力系統６から供給される電力によっては充電されず、分散型電源１の発電電力のうちの余剰電力によって充電される。
【００８１】
上述の実施形態では、分散型電源１に蓄電池５が並列に接続されているが、これに限定する趣旨ではない。例えば、分散型電源１には、蓄電池５の代わりに他の分散型電源が接続されていてもよい。この態様においても、分散型電源１が発電しておらず、他の分散型電源が電力を出力している場合に、分散型電源１の正極１１及び負極１２のいずれにも対地電圧が印加され難くすることが可能である。
【００８２】
上述の実施形態では、系統連系システム１００は、入力キャパシタＣ０、ＤＣ／ＤＣコンバータ２、出力キャパシタＣ１、及びフィルタ回路４を備えているが、これらの一部又は全部を備えていなくてもよい。例えば、系統連系システム１００において、分散型電源１とインバータ３との間にＤＣ／ＤＣコンバータ２が接続されていなくてもよい。この態様では、ＤＣ／ＤＣコンバータ２のダイオードＤ０を逆流阻止ダイオードＤ１として機能させることができないので、第１経路Ｐ１及び第２経路Ｐ２の各々に逆流阻止ダイオードＤ１を設けるのが好ましい。
【００８３】
上述の実施形態において、分散型電源１は太陽光発電装置であるが、これに限定する趣旨ではない。例えば、分散型電源１は、蓄電池（電気自動車用の蓄電池を含む）、又は燃料電池などの発電装置であってもよい。
【００８４】
上述の実施形態では、系統連系システム１００は、電力系統６の異常時に解列器を開放して自立運転を行うように構成されているが、これに限定する趣旨ではない。例えば、系統連系システム１００は、電力系統６の異常時に自立運転を行わない構成であってもよい。
【００８５】
上述の実施形態において、系統連系システム１００は、非住宅施設に導入されているが、これに限定する趣旨ではない。例えば、系統連系システム１００は、住宅に導入されてもよいし、電気自動車等、施設以外に適用されてもよい。
【００８６】
第３変形例〜第５変形例においては、系統連系システム１００には、複数の分散型電源１が接続されているが、１つの分散型電源１のみが接続されていてもよい。
【００８７】
（まとめ）
以上述べたように、第１の態様に係る系統連系システム（１００）は、インバータ（３）を備える。インバータ（３）は、分散型電源（１）と電力系統（６）との間に接続され、分散型電源（１）からの直流電力を交流電力に変換する。系統連系システム（１００）は、逆流阻止ダイオード（Ｄ１）を更に備える。逆流阻止ダイオード（Ｄ１）は、インバータ（３）から見て分散型電源（１）側の回路の少なくとも一部を含む電流経路（Ｐ１，Ｐ２）に設けられ、電流経路（Ｐ１，Ｐ２）を通して基準電位（Ｖｂ１）に流れる漏洩電流を阻止する。
【００８８】
この態様によれば、分散型電源（１）の電極に対地電圧が印加され難い、という利点がある。
【００８９】
第２の態様に係る系統連系システム（１００）は、第１の態様において、非絶縁方式のＤＣ／ＤＣコンバータ（２）を更に備える。ＤＣ／ＤＣコンバータ（２）は、分散型電源（１）とインバータ（３）との間に接続され、分散型電源（１）の出力する直流電圧を所定の大きさの直流電圧に変換する。電流経路（Ｐ１，Ｐ２）は、ＤＣ／ＤＣコンバータ（２）の高電位及び低電位の少なくとも一方を含む。
【００９０】
この態様によれば、分散型電源（１）の出力する直流電圧を所定の大きさの直流電圧に変換する機能を有しながらも、分散型電源（１）の電極に対地電圧が印加されるのを防ぎ易い、という利点がある。
【００９１】
第３の態様に係る系統連系システム（１００）では、第２の態様において、逆流阻止ダイオード（Ｄ１）は、ＤＣ／ＤＣコンバータ（２）のダイオード（Ｄ０）に兼用されている。
【００９２】
この態様によれば、、ＤＣ／ＤＣコンバータ（２）のダイオード（Ｄ０）を含む電流経路については、逆流阻止ダイオード（Ｄ１）を新たに設ける必要がなく、回路設計の簡素化を図ることができる、という利点がある。
【００９３】
第４の態様に係る系統連系システム（１００）では、第１〜第３のいずれかの態様において、電流経路（Ｐ１，Ｐ２）は、分散型電源（１）の正極（１１）を含む第１経路（Ｐ１）と、分散型電源（１）の負極（１２）を含む第２経路（Ｐ２）と、を有している。逆流阻止ダイオード（Ｄ１）は、第１経路（Ｐ１）及び第２経路（Ｐ２）の各々に設けられている。
【００９４】
この態様によれば、第１経路（Ｐ１）及び第２経路（Ｐ２）のいずれにも漏洩電流が流れ難くなるので、分散型電源（１）の正極（１１）及び負極（１２）のいずれにおいても対地電圧が発生し難くなる、という利点がある。
【００９５】
第５の態様に係る系統連系システム（１００）は、第１〜第４のいずれかの態様において、逆流阻止ダイオード（Ｄ１）に並列に接続されるスイッチ（ＳＷ２，ＳＷ３，ＳＷ４）を更に備える。スイッチ（ＳＷ２，ＳＷ３，ＳＷ４）は、分散型電源（１）が電力系統（６）と系統連系するときにオンとなり、それ以外のときにオフとなるように制御される。
【００９６】
この態様によれば、分散型電源（１）が電力系統（６）と系統連系するときに、分散型電源（１）と電力系統（６）との間を流れる電流により、逆流阻止ダイオード（Ｄ１）にて損失が発生するのを抑制することができる、という利点がある。
【００９７】
第６の態様に係る系統連系システム（１００）では、第１〜第５のいずれかの態様において、逆流阻止ダイオード（Ｄ１）は、インバータ（３）を収納する第１筐体（７）とは異なる第２筐体（８）に収納される。
【００９８】
この態様によれば、第１筐体（７）に第２筐体（８）を外付けすることにより、既存のインバータ（３）に逆流阻止ダイオード（Ｄ１）を容易に接続することが可能である、という利点がある。
【００９９】
第７の態様に係る系統連系システム（１００）では、第６の態様において、所定の経路（第３経路）（Ｐ３）には、逆流阻止ダイオード（Ｄ１）の代わりに開閉素子（ＳＷ１）が接続される。所定の経路（Ｐ３）は、電流経路のうち逆流阻止ダイオード（Ｄ１）が挿入されることで分散型電源（１）が電力系統（６）と系統連系するのを阻害する経路である。
【０１００】
この態様によれば、分散型電源（１）が電力系統（６）と系統連系するときには開閉素子（ＳＷ１）を閉じ、それ以外のときには開閉素子（ＳＷ１）を開くという制御が実現可能である。そして、この制御により、分散型電源（１）と電力系統（６）との間を流れる電流を阻害することなく、分散型電源（１）の電極に対地電圧が印加されるのを防ぎ易い、という利点がある。
【０１０１】
第８の態様に係る系統連系システム（１００）では、第１〜第７のいずれかの態様において、インバータ（３）は、分散型電源（１）に並列に接続される蓄電池（５）からの直流電力を交流電力に変換するように構成されている。分散型電源（１）は、太陽光発電装置である。
【０１０２】
この態様によれば、分散型電源（１）又は蓄電池（５）のいずれかが使用できないときにも電力系統（６）に電力を供給することが可能になる、という利点がある。
【０１０３】
第２〜第８の態様に係る構成については、系統連系システム（１００）に必須の構成ではなく、適宜省略可能である。
【符号の説明】
【０１０４】
１００  系統連系システム
１  分散型電源
１１  正極
１２  負極
２  ＤＣ／ＤＣコンバータ
３  インバータ
５  蓄電池
６  電力系統
７  第１筐体
８  第２筐体
Ｄ０  ＤＣ／ＤＣコンバータのダイオード
Ｄ１  逆流阻止ダイオード
Ｐ１  第１経路（電流経路）
Ｐ２  第２経路（電流経路）
ＳＷ１  開閉素子
ＳＷ２，ＳＷ３  スイッチ
Ｖｂ１  基準電位
【図１】
2019068618.tif 000003
【図２】
2019068618.tif 000004
【図３】
2019068618.tif 000005
【図４】
2019068618.tif 000006
【図５】
2019068618.tif 000007
【図６】
2019068618.tif 000008
【図７】
2019068618.tif 000009
【図８】
2019068618.tif 000010